(57)【特許請求の範囲】
【請求項１】
被切断材を載置する水平な載置台の上方に、回転刃を有する本体を上下動可能に設け、前記載置台に、前記被切断材の載置面上を非接触で左右に横切り、前面に前記被切断材を当接させるガイド面を備えたガイドフェンスを設けてなる切断機において、前記ガイドフェンスを前記載置台上に取り付けるための構造であって、
前記ガイドフェンスを、前記ガイド面を有する左右一対のガイド部と、そのガイド部間の中央後方にあって前記ガイド部同士を連結する半円状の迂回部とからなるものとして、前記ガイドフェンスの左右両側を前記載置台に固定し、前記ガイド部と前記迂回部との連結部分に、下方へ突出する上下方向の支柱を設けて前記支柱の下端に転動体を設け、その転動体を前記載置台の上面に形成した凹部に嵌合させたことを特徴とする切断機におけるガイドフェンスの取付構造。
【請求項２】
転動体の一部を、ガイドフェンスのガイド面よりも前方へ突出させたことを特徴とする請求項１に記載の切断機におけるガイドフェンスの取付構造。
【請求項３】
載置台の載置面が、水平回転可能なターンテーブルで形成され、転動体が前記ターンテーブルの上方でガイドフェンスに設けられるものにあっては、凹部を、前記ターンテーブルの水平回転に伴う転動体の相対移動軌跡に沿って形成された平面円弧状の溝としたことを特徴とする請求項１又は２に記載の切断機におけるガイドフェンスの取付構造。
【発明の詳細な説明】
【技術分野】
【０００１】
本発明は、被切断材を載置する載置台上で回転刃を有する本体を上下動可能に設けたスライドマルノコ等の切断機において、被切断材の位置決めに使用するガイドフェンスを載置台上に取り付けるための構造に関する。
【背景技術】
【０００２】
切断機としては、例えば特許文献１に開示の如く、ベース上に、被切断材を載置するターンテーブルを水平回転可能に支持させ、そのターンテーブル上に、モータで駆動する鋸刃を備えた本体を上下動可能に設けたマルノコがよく知られている。すなわち、ターンテーブル上に被切断材を載置して本体を下降させることで、回転する鋸刃によって被切断材を切断するもので、ターンテーブル上には、左右両端がベースにボルトで固定されてターンテーブル上を横切るガイドフェンスが設けられている。このガイドフェンスは、前面がターンテーブルの上面と直角となるガイド面を有し、被切断材の切断の際には、被切断材をガイド面に押し当てて位置決めするもので、ターンテーブルを回転させると、ガイドフェンスに位置決めした被切断材に対して鋸刃の水平方向の角度が変更し、いわゆる角度切りが可能となる。
【０００３】
また、このようなガイドフェンスを用いた場合、ターンテーブルが大型となると両端のみが固定されるガイドフェンスの剛性を維持しにくくなり、被切断材を位置決めした際に撓んで切断精度を低下させるおそれがある。そこで、特許文献１では、ターンテーブルの中央部に一対の円弧溝（スリット）を形成し、ベースに立設した固定部を円弧溝越しにターンテーブルの面内に露出させ、その固定部を利用してガイドフェンスの中央部をベースに固定するガイドフェンスの取付構造を採用している。
一方、ガイドフェンスとターンテーブルとの間には、ターンテーブルを回転させる際のガイドフェンスとの干渉を避けるために、数ｍｍ程度の隙間が設けられている。よって、板厚が薄い被切断材を切断する際には、被切断材が当該隙間に入り込んで位置決めができない場合がある。そこで、特許文献２では、ガイドフェンスの下端に、ガイド面と連続する位置決め凸部を突出して、ターンテーブルの上面に凹設した円弧状の凹部に挿入させ、ガイドフェンスとターンテーブルとの間の隙間を部分的に塞ぐようにしたガイドフェンスの取付構造を開示している。
【０００４】
【特許文献１】特開平７−２４１８０２号公報
【特許文献２】特開２００４−３１４２３７号公報
【発明の開示】
【発明が解決しようとする課題】
【０００５】
しかし、特許文献１の取付構造では、ベースに新たな固定部や、円弧溝からターンテーブルの下方に侵入した切り屑に対する防塵用の壁等を形成する必要があり、構造が複雑となってコストアップに繋がる。また、特許文献２の取付構造は、板厚が薄い被切断材でも位置決めは可能となるが、板厚が薄い被切断材では位置決めの際のガイドフェンスに沿った左右への微動をさせにくく、位置決め作業の操作性の改善には至っていない。
【０００６】
そこで、本発明は、簡単な構成で、ガイドフェンスの剛性を好適に確保できると共に、板厚が薄い被切断材でも良好な操作性で位置決めが可能となる切断機におけるガイドフェンスの取付構造を提供することを目的としたものである。
【課題を解決するための手段】
【０００７】
上記目的を達成するために、請求項１に記載の発明は、ガイドフェンスを、ガイド面を有する左右一対のガイド部と、そのガイド部間の中央後方にあってガイド部同士を連結する半円状の迂回部とからなるものとして、ガイドフェンスの左右両側を載置台に固定し、ガイド部と迂回部との連結部分に、下方へ突出する上下方向の支柱を設けて支柱の下端に転動体を設け、その転動体を載置台の上面に形成した凹部に嵌合させたことを特徴とするものである。
ここで、「載置台」とは、被切断材が載置される据え置きの台全般を指し、載置台の載置面全体が回転するタイプ（概ね矩形状で形成され、載置面を有さないベースの上部に、載置面を有するターンテーブルを配置したもの）や、載置面の中央部が回転し左右両端は回転しないタイプ（概ね凹形状で形成され、左右に載置面を有するベースの中央の凹部に、載置面を有するターンテーブルを配置したもの）、載置面が回転しないタイプ（概ね矩形状で形成され、載置面を有するベースのみがあり、ターンテーブルがないもの）等を含む。何れのタイプにおいても、ガイドフェンスはその両端をベースに固定するのが一般的である。
請求項２に記載の発明は、請求項１の目的に加えて、転動体を利用した使い勝手をより良好とするために、転動体の一部を、ガイドフェンスのガイド面よりも前方へ突出させたことを特徴とするものである。
請求項３に記載の発明は、請求項１又は２の目的に加えて、載置台の載置面が、水平回転可能なターンテーブルで形成され、転動体が前記ターンテーブルの上方でガイドフェンスに設けられるものにあって、ガイドフェンスの剛性をより好適に確保するために、凹部を、前記ターンテーブルの水平回転に伴う転動体の相対移動軌跡に沿って形成された平面円弧状の溝としたことを特徴とするものである。
【発明の効果】
【０００８】
請求項１に記載の発明によれば、転動体と凹部とを設ける簡単な構成で、ガイドフェンスの変形を抑えて剛性を好適に確保できると共に、板厚が薄い被切断材でも良好な操作性で位置決めが可能となり、使い勝手に優れる。
請求項２に記載の発明によれば、請求項１の効果に加えて、転動体の一部を、ガイドフェンスのガイド面よりも前方へ突出させているので、転動体を利用して位置決めの際の被切断材の左右への位置修正等が容易に行え、より使い勝手が良好となる。
請求項３に記載の発明によれば、請求項１又は２の効果に加えて、凹部を平面円弧状の溝としたことで、ガイドフェンスの剛性をより好適に確保でき、ターンテーブル内の防塵も維持できる。
【発明を実施するための最良の形態】
【０００９】
以下、本発明の実施の形態を図面に基づいて説明する。
図１は、切断機の一例であるスライドマルノコのベースの平面図、図２はその側面図で、スライドマルノコは、載置台となるベース１上に、被切断材の載置面を形成する略円形のターンテーブル２を載置し、そのターンテーブル２の後方（図１，２の左側）にアーム３を傾動可能に連結して、アーム３の上端に、モータ駆動する鋸刃を備えた本体（図示は省略）を前後方向へスライド可能且つ上下動可能に保持した周知の構成となっている。
ターンテーブル２は、ベース１との間で軸着したボルト４を中心に水平回転可能で、中央で前後方向には、本体の下降時に鋸刃が進入する刃口板５が設けられて、その前方に回転操作用のグリップ６が設けられている。
【００１０】
７は、ターンテーブル２上を左右に横切るガイドフェンスで、左右両端が、ターンテーブル２の左右の外側に位置するベース１の支持台部８，８にボルト９，９によって固定されている。このガイドフェンス７は、前面がターンテーブル２の上面と直角なガイド面１１を有する左右一対のガイド部１０，１０と、ガイド部１０，１０間の中央後方にあって両ガイド部１０，１０同士を連結する半円状の迂回部１２とからなり、支持台部８，８間での架設状態で、ガイドフェンス７の下端とターンテーブル２の上面との間に数ｍｍの隙間１３が生じるようになっている。
【００１１】
また、ガイドフェンス７におけるガイド部１０，１０と迂回部１２との連結部分には、図３，４に示すように、上下方向に支柱１４，１４が形成されており、各支柱１４の下端には、隙間１３を越えてターンテーブル２の上面よりも下方へ突出する小径部１５が突設され、その小径部１５に、転動体となるボールベアリング１６が設けられて、その外輪１７が回転可能となっている。このボールベアリング１６の外輪１７は、周面がガイド部１０のガイド面１１よりも僅かに前方へ突出する径で形成されている。
一方、ターンテーブル２の上面には、ボールベアリング１６が嵌合可能で、ターンテーブル２の水平回転に伴うボールベアリング１６の相対移動軌跡に沿った凹部としての案内溝１８が、刃口板５を除く平面視Ｃ字状に凹設されている。よって、ガイドフェンス７とターンテーブル２との間の隙間１３は、左右のボールベアリング１６，１６によって部分的に塞がれることになる。
【００１２】
以上の如く構成されたスライドマルノコは、鋸刃を回転させた状態で本体を下降させると、ターンテーブル２上に載置された被切断材Ｗをガイドフェンス７に対して直角に切断することができる。また、ターンテーブル２を任意の角度水平回転させると、水平方向で鋸刃の角度が変更する角度切りが、アーム３を傾動させると垂直方向で鋸刃の角度が変更する傾斜切断が夫々可能となる。さらに、前方位置で被切断材に切り込んだ本体を後方へ押すように操作すると、本体と共に鋸刃が後退してスライド切断が可能となる。
これらの切断の際、被切断材Ｗをガイドフェンス７の左右のガイド面１１，１１に押し当てて位置決めが行われるが、このときガイドフェンス７は、被切断材Ｗの押し当てによって後方へ撓もうとする。しかし、ボールベアリング１６の外輪１７の周面が案内溝１８の外周側の内側面に干渉して抵抗力を発揮させるため、ガイドフェンス７の剛性が維持され、撓みが抑えられる。
【００１３】
そして、上下の厚みが隙間１３よりも薄い被切断材を切断する場合でも、隙間１３にはボールベアリング１６が点在しているため、被切断材がボールベアリング１６の外輪に当接して隙間１３への入り込みが防止され、位置決めは確実に行われる。
また、これらの被切断材の位置決めの際には、ガイドフェンス７の下方でガイド面１１よりも前方へ突出したボールベアリング１６の外輪１７の周面が被切断材の押し当て面に当接するため、被切断材をガイド面１１に沿って左右方向へ容易に微動させることができ、位置の修正等が簡単に行える。
【００１４】
このように、上記形態のガイドフェンス７の取付構造によれば、ガイドフェンス７の左右両側をベース１の支持台部８，８に固定し、その固定部位よりも中央側でガイドフェンス７の下端に、下方へ突出するボールベアリング１６を設け、そのボールベアリング１６をターンテーブル２の上面に形成した案内溝１８に嵌合させたことで、簡単な構成で、ガイドフェンス７の変形を抑えて剛性を好適に確保できると共に、板厚が薄い被切断材でも良好な操作性で位置決めが可能となり、使い勝手に優れる。
特にここでは、ボールベアリング１６の一部を、ガイドフェンス７のガイド面１１よりも前方へ突出させているので、ボールベアリング１６を利用して位置決めの際の被切断材の左右への位置修正等が容易に行え、より使い勝手が良好となる。
さらに、凹部を、ターンテーブル２の水平回転に伴うボールベアリング１６の相対移動軌跡に沿って形成された平面円弧状の案内溝１８としたことで、ガイドフェンス７の剛性をより好適に確保でき、ターンテーブル２内の防塵も維持できる。
【００１５】
なお、転動体は、ボールベアリングに限らず、単にリング状のローラを小径部に嵌合させたものであってもよいし、ボール状のものを使用してもよい。また、転動体が隙間にのみ現れる構造に限らず、ガイドフェンスのガイド面を下端から切り欠くことで上下高さの大きい転動体を用いることもできる。
一方、凹部は、ターンテーブルの回転可能角度によっては左右一対の円弧状の溝とすることもできる。
さらに、転動体の数は上記形態に限らず、３つ以上配設してもよい。従って、凹部の数も転動体に合わせて増えることになる。
【００１６】
そして、上記形態では、転動体と凹部とをガイドフェンスとターンテーブルとの間に夫々設けているが、ターンテーブルが比較的小さく、ベースの左右の支持台部が大きいような場合は、ガイドフェンスと支持台部の上面との間に転動体と凹部とを設けてもよい。このようにしてもガイドフェンスの剛性の確保や位置決めの操作性の向上は期待できる。勿論これにガイドフェンスとターンテーブルとの間に転動体と凹部とを設ける構成を併用しても差し支えない。
【００１７】
その他、上記形態では、ターンテーブルを設けたマルノコに対してガイドフェンスの取付を行った例で説明しているが、ターンテーブルがなく、ベースのみを有する切断機であっても同様に、ガイドフェンスに転動体を、ベースの上面に凹部を夫々設ければよい。
また、ターンテーブルを支持する基盤がターンテーブル内に収容されてターンテーブルのみが載置台として現れるものや、本体がスライドしないもの、アームが傾動しないタイプ等、上記形態のスライドマルノコ以外の切断機においても本発明は適用可能である。
【図面の簡単な説明】
【００１８】
【図１】ベース及びターンテーブルの平面図である。
【図２】ベース及びターンテーブルの側面図である。
【図３】Ａ−Ａ線断面図である。
【図４】Ｂ−Ｂ線断面図である。
【符号の説明】
【００１９】
１・・ベース、２・・ターンテーブル、３・・アーム、７・・ガイドフェンス、８・・支持台部、９・・ボルト、１０・・ガイド部、１１・・ガイド面、１２・・迂回部、１３・・隙間、１４・・支柱、１５・・小径部、１６・・ボールベアリング、１７・・外輪、１８・・案内溝。
【図１】
0004994983.tif 000002
【図２】
0004994983.tif 000003
【図３】
0004994983.tif 000004
【図４】
0004994983.tif 000005